(57)【要約】【課題】意匠性と機能性を高めるように、ブリムにギャザーを付けた日除けハットを提供する。【解決手段】頭部を保護するクラウン2と、該クラウン2の縁の周りに取り付けられて、日差しから顔面を保護するブリム4、6を備えた日除けハット1であって、ブリムの一部6に複数のひだ10を形成するようにギャザー8を付ける。この結果、複数のひだ10により、意匠性を高め、さらに、断面を凸凹にしたので、表面積を広げ、空気を流動させる通路を提供する。さらに、キシリトール加工した生地を用いて、キシリトールの吸熱効果を利用して、日除けハット1の冷感効果を高める。【選択図】図５
0003121432.tif 000002
【実用新案登録請求の範囲】
【請求項１】
頭部を保護するクラウンと、該クラウンの縁の周りに取り付けられ、日差しから顔面を保護するブリムを備えた日除けハットであって、前記ブリムの一部を他の部分に対して厚さをより薄くすると共に、前記クラウンの縁に対して、複数のひだが形成されるように、ギャザーを付けて縫い上げられていることを特徴とする日除けハット。
【請求項２】
キシリトール加工した生地を使用したことを特徴とする請求項１記載の日除けハット。
【請求項３】
前記クラウンを中心として、左右非対称となるように、前記ブリムにギャザーを付けることを特徴とする請求項１又は２に記載の日除けハット。
【考案の詳細な説明】
【技術分野】
【０００１】
本考案は、日除けハットに関する。
【背景技術】
【０００２】
猛暑のスポーツ観戦、酷暑地への旅行や、炎天下での農作業等のように、強い日差しを受ける場合には、防暑用に、つば（ブリム）のある帽子が利用されている。特に、紫外線は、シミ、ソバカスや日焼けを引き起こすだけではなく、老化を促進させ、さらにはガンの発生を招くと言われるため、この対策が重要になる。しかしながら、単につばのある帽子を着用するだけでは、顔面や頭部を紫外線から保護できても、首筋が紫外線に露出されたままになるという問題があった。そこで、紫外線から首筋を保護できるように、首筋用の日除けを備えた防暑帽子が用いられることがある（特許文献１〜７参照）。しかし、これら特許文献１〜７に開示されているように、従来の首筋用の日除けは、下方に向って、平坦状に差し出されていた。このため、美観に優れず、帽子のデザイン性を損わせていた。また、紫外線を有効に防ぐために、日除けの表面積を広げる必要があるが、日除けを平坦状に広げることには限界があった。また、首筋を平坦状の日除けで覆う場合、首筋付近の風通しを損なわせるので、通気性の確保に問題があった。さらに、夏場に首筋を日除けで覆っても、利用者が暑苦しくならないように、冷感効果を備えることに課題を残していた。
【特許文献１】実開平２−５１２１１号公報
【特許文献２】特開２０００−２１２８１９号公報
【特許文献３】特開２００１−１４６６２１号公報
【特許文献４】特開２００５−２２６１９４号公報
【特許文献５】実用新案登録第３０３９８２７号公報
【特許文献６】実用新案登録第３０７７１２４号公報
【特許文献７】実用新案登録第３１１６１０３号公報
【考案の開示】
【考案が解決しようとする課題】
【０００３】
本考案は、以上の点に鑑みてなされたものであり、従来の首筋用の日除けは、下方に向って、平坦状に差し出されていたのに対して、この部位にギャザーを付けることで、意匠性を高め、また、断面を凸凹状とすることにより、日除けの表面積を広げ、風通しを良好にし、さらに、冷感効果を高めた日除けハットを提供することを目的とするものである。
【課題を解決するための手段】
【０００４】
本考案は、上記課題を解決するための手段として、請求項１に記載した日除けハットにおいては、頭部を保護するクラウンと、該クラウンの縁の周りに取り付けられ、日差しから顔面を保護するブリムを備えた日除けハットであって、前記ブリムの一部を他の部分に対して厚さをより薄くすると共に、前記クラウンの縁に対して、複数のひだが形成されるように、ギャザーを付けて縫い上げられていることを特徴とする。
【０００５】
請求項２に記載した日除けハットにおいては、請求項１に記載されたものにおいて、キシリトール加工した生地を使用したことを特徴とする。
【０００６】
請求項３に記載した日除けハットにおいては、請求項１又は２に記載されたものにおいて、前記クラウンを中心として、左右非対称となるように、前記ブリムにギャザーを付けることを特徴とする。
【考案の効果】
【０００７】
本考案は以上説明したように構成された日除けハットであるから、クラウン後方のブリムに複数のひだを形成するようにギャザーを付けたので、美しいラインを描かせて、意匠性を高めている。また、複数のひだにより、ブリムの断面を凸凹にして、表面積を広げたので、紫外線遮蔽用の領域を拡大することができる。また、上記凸凹状の表面に沿って、空気を流動させる通路を提供するため、首筋付近の風通しを良好にしている。さらに、ブリムにギャザーを付けたので、比較的に薄い生地から形成されても、形状を安定させている。さらに、キシリトール加工した生地を用いた場合には、キシリトールの吸熱効果を利用して、日除けハットの冷感効果を格段に高めることができる。さらに、クラウンを中心として、左右非対称となるように、ブリムにギャザーを付けた場合には、ギャザーの広い部分により、日除けハットの効果を高めることが可能となる。
【考案を実施するための最良の形態】
【０００８】
以下、添付した図を参照して、本考案に係る好適な実施形態について説明する。図１、２に示すように、日除けハット１のクラウン２は、通常のハットのものと同様に形成される。また、クラウン２の縁の周りには、遮光用にブリム４、６が備えられる。図３〜６に示すように、日除けハット１のブリム４、６は、前方４と後方６の２つの区間に分けることができ、前方のブリム４により顔面を保護し、後方のブリム６により首筋を保護するようにしている。これらブリム４、６は、後述するように、夫々、異なるように構成される。好ましくは、前方のブリム４と後方のブリム６は、クラウン２の縁に沿って連続して設けられ、クラウン２を中心として、３６０度にわたって広く日除けを取れるようにするとともに、日除けハット１全体として、デザインに統一性を持たせるようにしている。これらクラウン２及びブリム４、６の大きさは様々に変えることができ、適当な大きさの日除けハット１が利用者により選択されることで、利用者の頭部、顔面及び首筋を日差しから効果的に保護できるようにしている。
【０００９】
前方のブリム４は、クラウン２の縁から周囲へ向けて、全体が下がるように差し出ており、利用者の顔面を日差しから幅広く保護できるようにしている。また、前方のブリム４は、従来技術と同様に、適当な大きさに裁断された布状の素材を縫い付けることで形成されている。この際、例えば、生地の厚さを厚くしたり、適当な数のステッチを設けるなどして、この部位の形崩れを防ぎ、耐久性をもたせるようにしている。このため、例えば、強風が吹き付けたり、利用者が激しい運動をした場合でも、前方のブリム４は所定の形状を保つようにしている。
【００１０】
後方のブリム６もまた、クラウン２の縁から周囲へ向けて、全体が下がるように差し出ており、利用者の首筋を日差しから保護できるようにしている。但し、首筋は顔面よりも下方に位置するため、後方のブリム６は、前方４と比べて、より下方に下がるように垂設されている。さらに、本考案では、後方のブリム６にギャザー８を付けている。特に、後方のブリム６は、前方４と比べて、より厚さの薄い生地から形成されている。さらに、後方のブリム６は、クラウン２の縁に沿った、幅方向の長さに余裕を取っており、クラウン２の縁に縫い付けられる際、クラウン２の縁に沿って生地を縫い縮めるように寄せている。このため、後方のブリム６には、複数のひだ１０が形成されるように、ギャザー８が付けられる。このように、後方のブリム６は、上方からギャザーを付けるように縫い上げられるので、各ひだ１０は下方に向って裾を広げるように形成される。また、これらひだ１０によって、後方のブリム６は、角度を付けて斜め下方に垂設される。
【００１１】
前方のブリム４は、従来と同様に平坦状に形成されており、断面が緩やかな弧状になるのに対して、後方のブリム６は、ギャザー８を付けるように形成されているため、断面が凸凹状になる。このため、前方のブリム４では、表面が平坦状のため、この部位に光が差し込んでも陰影に大きな変化を生じさせないが、後方のブリム６では、表面にドレープ状の美しいラインを描くように起伏を付けたため、この部位に光が差し込むと、ドレープ状のラインに沿って、表情豊かなように陰影を浮かばせることができる。従って、後方のブリム６では、平坦状に形成された前方のブリム４と比べて、陰影の浮かばせ方により奥行きを与えている。このように、本考案では、後方のブリム６にギャザー８を付けることで、優雅でエレガントな印象を与えることができるようにしている。好ましくは、前方のブリム４と後方のブリム６は滑らかに連続し、日除けハット１全体として、統一性を持たせながら、意匠性を向上させる。尚、後方のブリム６は、上述のようにギャザーを付けるため、前方のブリム４と比べて、より薄めの生地から形成されるが、各ひだ１０により、形状に安定性をもたせている。
【００１２】
本考案では、後方のブリム６に複数のひだ１０を形成する際、隣り合うひだ１０の生地が一部重なり合うようにギャザー８を付けている。即ち、後方のブリム６では、クラウン２の縁に沿った幅方向の長さに余裕を持たせており、クラウン２に縫い付けられる際、クラウン２の縁に沿って生地を一部折り返しながら、複数のひだ１０を形成している。図示した実施形態では、クラウン２を中心として、左右対称になるように、生地を折り返しながら、複数のひだ１０を形成している（図５及び６参照）。そして、例えば、図１を参照すると、後方のブリム６の側方では、各ひだ１０は、符合１２に示すように、一方の縁部から隣り合うひだ１０に対して上方から重なるとともに、符合１４に示すように、他方の縁部から隣り合うひだ１０に対して下方から重なっている。そして、後方のブリム６の中央のひだ１０は、符合１６に示すように、両縁部から夫々隣り合うひだ１０に対して上方から重なっている。但し、図示した実施形態は、本考案の好適な実施形態を示したものであり、他、異なるように後方のブリム６にギャザー８を付けることは可能である。例えば、生地を折り返す度合いや、ひだの大きさ等は、実施形態ごとに変化させてもよい。また、クラウン２を中心として、左右非対称となるように、後方のブリム６にギャザー８を付けてもよい。この場合、例えば、ギャザー８の広い部分により、日除けハット１の効果を高めることができる。また、図示した実施形態では、後方のブリム６に複数のひだ１０を設ける際、各ひだ１０の長さを段階的に増やしながら、中央のひだ１０が最も下方に下がるようにしているが、これらひだ１０の垂れ下がる度合いや順番は、実施形態に応じて様々に変えることができる。さらに、本考案では、生地にギャザー８を付ける際、さらなる加工を施すことは可能であり、例えば、後方のブリム６のひだ１０の形状を美しく保つため、生地にウェーブ加工を施してもよい。
【００１３】
このように、本考案では、後方のブリム６にギャザー８を付けることで、平坦状に形成された従来のものと比べて、見た目の印象を向上させ、意匠性を大幅に高めているが、さらに、このように後方のブリム６の形状を変化させたことで、日除けとしての機能性も格段に優れたものにしている。
即ち、本考案の日除けハット１は、後方のブリム６にギャザー８を付けて、複数のひだ１０を形成したことにより、表面積を広げている。このため、平坦状に形成された従来の日除けと比べて、日差しから首筋を保護する面積をより立体的に広げており、この結果、紫外線を遮蔽するための領域を拡大できる。
また、本考案の日除けハット１は、後方のブリム６を比較的薄めの生地から形成するとともに、ギャザー８を付けて、複数のひだ１０を形成したので、断面を凸凹状にしている。このため、平坦状に形成された従来の日除けと比べて、凸凹状の表面に沿って空気の通路を提供しており、この結果、首筋付近の風通しを良好にできる。
また、本考案の日除けハット１は、後方のブリム６にギャザー８を付けて、複数のひだ１０を形成したことにより、この部位の形状を安定させている。従って、平坦状に形成された従来の日除けでは、風が吹き付けると簡単にめくれ上がることがあったが、本考案では、図７に概略的に示すように、各ひだ１０によって、後方のブリム６の形を保ち、上記のようにめくり上がることを抑えることができる。
さらに、平坦状に形成された従来の日除けでは、強い日差しを受けて熱を帯びた日除けが利用者の首筋に面状にまとわりついて、利用者が不快感を感じることがあった。これに対して、本考案の日除けハット１では、上述のように後方のブリム６の断面を凸凹状にして、凸状部から利用者の首筋に接するようにしたので、利用者の首筋に日除けが面状にまとわりつくことを減少させている。
【００１４】
さらに、本考案では、日除けの効果を一層高めるように、日除けハット１の生地を変えている。具体的には、本考案の好適な実施形態では、日除けハット１にキシリトール加工された生地を使用することで、この部位の冷感効果を高めるようにする。即ち、キシリトールには、水分に接すると熱を吸収する効果があるため、日除けハット１にキシリトールを含ませることで、冷涼感を備えることができる。このため、強い日差しを受けて、日除けハット１の利用者が汗を出すような場合には、日除けハット１に含まれたキシリトールが汗と結合して吸熱し、利用者の体温を下げることで、利用者を冷感させることができる。具体例の一つでは、リネン（亜麻）をベースにして、キシリトール加工を行って、このキシリトール加工繊維を生地として用いて、日除けハット１を形成する。この場合、リネンは、比較的に水分の吸収発散が早くて、冷涼感があるため、日除けハット１の冷感効果を高める上で適している。尚、キシリトールは天然素材であり、重量が軽いため、上述のようにキシリトール加工を行っても、生地の重量を増大させ利用勝手を損うことがない。また、キシリトールは比較的に肌に優しいという長所がある。これら特徴から、本考案では、日除けハット１の日除け効果を従来のものと比べて格段に優れたものにしている。
【００１５】
このように、本考案では、好適には、キシリトール加工繊維を生地として用いて、キシリトールの吸熱効果を利用するように、日除けハット１に冷感効果を提供するが、この効果は、連続して利用することができる。特に、本考案の日除けハット１を家庭洗濯しても、ほぼ同じような冷感効果を提供できるようにする。例えば、図８に表に示し、この表を図９にグラフとして示すように、キシリトール加工初期の生地（図９の符合□参照）は、キシリトール加工されていない生地（図９の符合○参照）と比べて、温度変化に大きな差があり、キシリトール加工された生地では、時間が経過すると、５〜１０分程で速やかに、２〜３℃程度も温度を下げることが解かる。このため、キシリトール加工された生地は、冷感効果を得る上で大変優れている。また、これら図に示すように、キシリトール加工初期の生地、つまり家庭洗濯されていない生地（図９の符合□参照）が示す温度変化に対して、キシリトール加工された後、家庭洗濯（ＨＬ）が１０回連続された生地（図９の符合●参照）と、家庭洗濯が２０回連続された生地（図９の符合△参照）は、温度変化にほとんど差がないことが解かる。また、家庭洗濯が３０回連続された生地（図９の符合▲参照）であっても、温度変化に大きな差がなく、時間が経過すると、５〜１０分程で速やかに温度を下げることが解かる。また、いずれの場合であっても、キシリトール加工されていない生地（符合○参照）と比べて、キシリトール加工された生地は、温度変化に少なくとも２℃程度の大きな差を残している。従って、これら図から、本考案の係るキシリトール加工された生地が提供する冷感効果には、持続性があることが理解できる。尚、この図では、麻１００％の織物に対して、キシリトール加工を行っている。また、この環境条件は、夏場での日除けハット１の使用を想定し、３５．８〜３６．１℃／３３〜３５％RHの範囲内で行っている。但し、本考案を実施する際、リネン以外に、さらなる素材に対してキシリトール加工を行うことは可能である。また、冷感効果の持続性は、長期にわたって備えられるようにするが、この期間は、実施形態に応じて変化させてもよい。さらに、このキシリトール加工は、クラウン２及びブリム４、６の全体に対して適用されてもよく、または、クラウン２とブリム４、６のいずれかに適用されてもよく、さらには、ブリム４、６の一部、例えば、後方のブリム６に限って適用されてもよい。
【００１６】
故に、本考案では、ブリム４、６の一部６を他の部分４に対して厚さをより薄くすると共に、クラウン２の縁に対して、複数のひだ１０が形成されるように、ギャザーを付けて縫い上げられており、この結果、より優雅でエレガントな印象を与えるように意匠性を向上させるだけでなく、日除けとしての効果を高めるように機能性を向上させている。このような効果は、平坦状に形成された従来の日除け（特許文献１〜７参照）では期待することができなかった。さらに、本考案では、日除けの効果を一層高めるように、日除けハット１の生地を変えて、日除けハット１の冷感効果を向上させている。以上のように構成されることで、本考案の日除けハット１は、防暑帽子として優れた機能を提供し、背景技術で記載したような課題を解決する。
【００１７】
尚、本考案では、ブリム４、６の一部６にギャザーを付けている。この際、図示した実施形態では、デザイン上、ブリム４、６は、前方４と後方６の２つの区間に分けることができるが、本考案の他の実施形態では、ブリム４、６は、３つ以上の区間に区別されていてもよい。但し、ブリム４、６の一部６には上述のようにギャザー８が付けられて、日除けとしての意匠性及び機能性を向上させる。また、帽子の種類は多岐にわたるが、本考案における日除けハット１は、クラウン２の下方縁部の周囲にブリム４、６を備えたタイプの全てを含むことができる。この際、本考案の日除けハット１は、基本構造となるクラウン２とブリム４、６の他、さらなる構成要素を備えていてもよい。例えば、当業者には公知なように、日除けハット１は、クラウン２の下方縁部側の周囲に腰を備えていてもよい。また、クラウン２の内側で、利用者の頭部に直接接する部分には、スベリ１８（図４参照）を備えていてもよい。さらに、クラウン２の内側には、帯状又はひも状のあごひもを備えて、利用者のあごに掛けるようにしていてもよい。他、リボン等の装飾品を日除けハット１に備えることは任意である。
【００１８】
上記実施形態では、日除けハット１は、基本的に防暑用に構成されているが、本考案の日除けハット１は、防寒用に構成することも可能である。即ち、本考案の日除けハット１は、上述のように後方のブリム６に複数のひだ１０を設けたため、この裏面側では、ひだ１０の内部に空気の層を抱き込むことができる。このため、冬場では、これらひだ１０の内部に抱き込んだ空気により熱を逃がさないようにして、保温性を高めることができる。従って、本考案では、後方のブリム６にギャザーを付けたことにより、冬場では、防寒用の機能を向上することも可能となる。尚、本考案の日除けハット１を防寒用に構成する場合、生地を厚くしたり、または、生地を二層状または多層状に構成してもよい。このように、本考案の日除けハット１は、夏場以外にも利用できるように提供されてもよい。
【図面の簡単な説明】
【００１９】
【図１】本考案の日除けハットの正面図である。
【図２】本考案の日除けハットの背面図である。
【図３】本考案の日除けハットの平面図である。
【図４】本考案の日除けハットの底面図である。
【図５】本考案の日除けハットの右側面図である。
【図６】本考案の日除けハットの左側面図である。
【図７】本考案の日除けハットの後方斜視図であって、後方のブリムがめくれ上がった時の状態を概略的に示した図である。
【図８】キシリトール加工の未加工の生地と、キシリトール加工初期の生地と、キシリトール加工された後、家庭洗濯を１０回連続された生地と、家庭洗濯を２０回連続された生地と、家庭洗濯を３０回連続された生地の、時間に対する温度変化を表に示した図である。
【図９】図８の表をグラフに示した図である。
【符号の説明】
【００２０】
１            日除けハット
２            クラウン
４            前方のブリム
６            後方のブリム
８            ギャザー
１０          ひだ
【図１】
0003121432.tif 000003
【図２】
0003121432.tif 000004
【図３】
0003121432.tif 000005
【図４】
0003121432.tif 000006
【図５】
0003121432.tif 000007
【図６】
0003121432.tif 000008
【図７】
0003121432.tif 000009
【図８】
0003121432.tif 000010
【図９】
0003121432.tif 000011